(57)【特許請求の範囲】
【請求項１】
制御装置によって昇降路内を昇降制御されるかごと、
このかご内及び前記かご上に設けられ、前記かごの昇降操作を行う運転操作盤と、
前記制御装置に一端が接続され、他端が前記昇降路の底部に導かれる伝送線を備えたエレベータにおいて、
前記伝送線の前記他端に着脱自在な可搬式の操作器を備え、
前記操作器は前記かご内の運転操作盤および前記かご上の運転操作盤で操作された昇降操作を、押下することにより許可を与えるボタンを有し、
前記ボタンはスローアップ確認ボタンとスローダウン確認ボタンと アップ確認ボタンとダウン確認ボタンとであって、前記かご内および前記かご上の前記運転操作盤で操作されるスローアップ、スローダウン、アップおよびダウンの各昇降操作に対して許可与えること
を特徴とするエレベータの保守運転装置。
【請求項２】
前記操作器を前記伝送線の前記他端に接続するとエレベータシステムが保守運転モードとなることを特徴とする請求項１に記載のエレベータの保守運転装置。
【請求項３】
前記かご内の運転操作盤および前記かご上の運転操作盤で昇降操作された場合、前記操作に対応した前記スローアップ確認ボタンと前記スローダウン確認ボタンと前記アップ確認ボタンと前記ダウン確認ボタンの内のいずれかが、点灯または点滅することを特徴とする請求項１又は請求項２に記載のエレベータの保守運転装置。
【請求項４】
前記操作器はブザーを内蔵し、前記かご内の運転操作盤および前記かご上の運転操作盤で操作された場合、前記ブザーが鳴動することを特徴とする請求項１乃至請求項３のいずれか一つに記載のエレベータの保守運転装置。
【請求項５】
前記操作器に、エレベータを緊急停止させる非常停止ボタンを有することを特徴とする請求項１乃至請求項４のいずれか一つに記載のエレベータの保守運転装置。
【請求項６】
前記操作器に、前記かご内の運転操作盤および前記かご上の運転操作盤で昇降操作された操作内容を表示する運転操作内容表示部を有することを特徴とする請求項１乃至請求項５のいずれか一つに記載のエレベータの保守運転装置
【請求項７】
前記操作器に、前記かご内の運転操作盤および前記かご上の運転操作盤で昇降操作された操作内容を取り消すキャンセルボタンを有することを特徴とする請求項１乃至請求項６のいずれか一つに記載のエレベータの保守運転装置。
【請求項８】
前記操作器に、前記かご内のインターホンと通話可能なヘッドセットを接続されたことを特徴とする請求項１乃至請求項７のいずれか一つに記載のエレベータの保守運転装置。
【請求項９】
前記エレベータは、機械室が無いことを特徴とする請求項１乃至請求項８のいずれか一つに記載のエレベータの保守運転装置。
【発明の詳細な説明】
【技術分野】
【０００１】
本発明は、エレベータの保守運転装置、特に少なくとも２名の据付作業者や保守員が、かご内又は機械室と昇降路底部所謂ピットに分かれて据付・保守作業を行う場合に、安全上最適なエレベータの保守運転装置に関するものである。
【背景技術】
【０００２】
エレベータのピットには、エレベータの安全な運行に必要な、安全装置その他各種の機器が設置されている。これらの装置や機器が正常に動作することを確認するために、これらの装置や機器に対して、エレベータの据付作業者による据付完了時の確認作業や、保守員による定期点検作業が行われる。
【０００３】
この確認作業や点検作業は特許文献１のように、通常一人作業で行われる。
【０００４】
ここで、特許文献１にかかる従来技術を図６および図７を用いて説明する。なお、据付作業者および保守員を保守員等として説明する。昇降路１の上部に機械室２が設けられ、この機械室２内に制御装置６が設置される。駆動機４に対してロープ５を介してかご３が接続され、駆動機４は制御装置６によって制御駆動される。なお、８は乗場床であり、９は乗場扉である。
【０００５】
かご３の内部およびかご３上に運転操作盤Ｄ１及びＤ２が設けられ、これらの運転操作盤Ｄ１、Ｄ２によりかご３の昇降操作が可能な構成となっている。制御装置６に一端が接続された伝送線１２が昇降路１内を側壁に沿って昇降底部、いわゆるピット７まで導かれ、ピット７に設けられたプラグ受１１にその他端が接続される。
【０００６】
ピット７内の保守員等１４は、可搬式の操作器１３をこのプラグ受１１に装着して、この操作器１３によってかご３を運転操作することが可能である。操作器１３をプラグ受１１に装着した状態で、阻止回路によって運転操作盤Ｄ１、Ｄ２の操作が阻止される。
【０００７】
操作器１３には、図７に示すようにケーブル１５が取り付けられ、このケーブル１５の端部にプラグ３１が固定され、このプラグ３１により操作器１３はプラグ受１１に装着される。操作器１３には、非常停止用スイッチ１３ａと上昇運転用ボタン１３ｂ及び下降運転用ボタン１３ｃとが取り付けられる。
【０００８】
このように、特許文献１に係る発明における保守員等１４は、一人作業であっても、ピット内にいながら、かご３の運転を行うことが可能である。また、第三者によってかご内やかご上の操作器Ｄ１、Ｄ２をピット７内に保守員等１４がいることに気づかずに操作されたとしても、エレベータは駆動せず、保守員等１４の安全は確保される。
【０００９】
この確認作業や点検作業は特許文献１のように、通常一人作業で行われることが一般的であるが、已むを得ず二人以上で作業を行わなければならない場合がある
【００１０】
特許文献１の発明にかかる保守運転装置を使用すれば、ピット内の保守員等が一人でエレベータを駆動することも可能であるが、作業内容によっては、駆動状態の各種機器を確認する必要があるにもかかわらず、保守運転装置の操作で両手が塞がれ、確認作業をし難い場合もあるため、結局二人以上での作業が必要となる。
【００１１】
また、基本的にピット内にこれらの保守員等がいる場合、エレベータの駆動は禁止である。しかし、据付における各種確認業務や保守におけるトラブル対応で、ピット内に保守員等がいる状態でエレベータを駆動させなければならない場合もある。
【００１２】
例えば、据付におけるピット内に保守員等がいる状態で、エレベータを駆動させる場合として、管制運転の確認、カーバランスの確認およびガイドシューの確認などがある。また、保守におけるピット内に保守員等がいる状態で、エレベータを駆動させる場合として、ブレーキ調整およびマシン異音確認などがある。
【先行技術文献】
【特許文献】
【００１３】
【特許文献１】特開昭６２−１１１８８３号公報
【発明の概要】
【発明が解決しようとする課題】
【００１４】
上述したように、エレベータを駆動しなければ、確認ができない作業の内、二人以上の作業となる場合がある。この場合、かご内あるいはかご上にいる一方の保守員等がピット内の他方の保守員等の指示に従い、エレベータの運転操作を行う。そして、エレベータを駆動させながら、他方の保守員等がピット内で確認等の作業を行う。ピット内の保守員等はエレベータが指示通りに駆動していると認識した上で、安全な場所、体勢を確保する。この場合、保守員等間の意思疎通が安全上重要である。エレベータがピット内の保守員等の指示と異なる動作をした場合、ピット内の保守員等は不意をつかれ、安全を確保することが難しいからである。また、従来技術においては、呼びかけやトランシーバーによる会話で確認作業が行われていた。そのため、現場の環境、操作ミス、指示ミス、かご内保守員等の思い込みおよびトランシーバーの故障等により、指示と逆方向に駆動したり、低速運転を指示していたにも関わらず、高速運転を行うなど、指示者が意図しない動作をエレベータが行い、危険な状況となって事故につながる場合も少なからず存在した。
【００１５】
本発明が解決しようとする課題は、上述したような作業上の危険な状況を回避し、ピット内の保守員等の安全を確保することである。
【課題を解決するための手段】
【００１６】
本願に係る発明は、制御装置によって昇降路内を昇降制御されるかごと、このかご内及び前記かご上に設けられ、前記かごの昇降操作を行う運転操作盤と、前記制御装置に一端が接続され、他端が前記昇降路の底部に導かれる伝送線を備えたエレベータにおいて、前記伝送線の前記他端に着脱自在な可搬式の操作器を備え、前記操作器は前記かご内の運転操作盤および前記かご上の運転操作盤で操作された昇降操作を、押下することにより許可を与えるボタンを有し、前記ボタンはスローアップ確認ボタンとスローダウン確認ボタンと アップ確認ボタンとダウン確認ボタンとであって、前記かご内および前記かご上の前記運転操作盤で操作されるスローアップ、スローダウン、アップおよびダウンの各昇降操作に対して許可与えることを特徴とする。
また、前記操作器を前記伝送線の前記他端に接続するとエレベータシステムが保守運転モードとなっても良い。
また、前記かご内の運転操作盤および前記かご上の運転操作盤で昇降操作された場合、前記操作に対応した前記スローアップ確認ボタンと前記スローダウン確認ボタンと前記アップ確認ボタンと前記ダウン確認ボタンの内のいずれかが、点灯または点滅しても良い。
また、前記操作器はブザーを内蔵し、前記かご内の運転操作盤および前記かご上の運転操作盤で操作された場合、前記ブザーが鳴動しても良い。
また、前記操作器に、エレベータを緊急停止させる非常停止ボタンを有しても良い。
また、前記操作器に、前記かご内の運転操作盤および前記かご上の運転操作盤で昇降操作された操作内容を表示する運転操作内容表示部を有しても良い。
また、前記操作器に、前記かご内の運転操作盤および前記かご上の運転操作盤で昇降操作された操作内容を取り消すキャンセルボタンを有しても良い。
また、前記操作器に、前記かご内のインターホンと通話可能なヘッドセットを接続させても良い。
また、前記エレベータは、機械室が無くとも良い。
【発明の効果】
【００１７】
この発明によれば、ピット内の保守員等が、かご内の保守員等が操作した運転内容を確認し、許可しなければエレベータが駆動しないため、ピット内の保守員等の安全を確保することができ、安全に作業をすることができる。
【図面の簡単な説明】
【００１８】
【図１】本発明に係るエレベータの保守運転装置の実施例１乃至実施例４の構成を示す縦断面図
【図２】本発明に係るエレベータの保守運転装置の実施例１に使用する操作器の構成を示す正面図および側面図
【図３】本発明に係るエレベータの保守運転装置の実施例２に使用する操作器の構成を示す正面図および側面図
【図４】本発明に係るエレベータの保守運転装置の実施例３に使用する操作器の構成を示す正面図および側面図
【図５】本発明に係るエレベータの保守運転装置の実施例４に使用する操作器の構成を示す概略図
【図６】従来技術に係るエレベータの保守運転装置の実施例の構成を示す縦断面図
【図７】従来技術に係るエレベータの保守運転装置の実施例に使用する操作器の構成を示す斜視図
【発明を実施するための形態】
【００１９】
以下、本発明の実施例について図面を用いて説明する。
【実施例１】
【００２０】
図１は本発明に係るエレベータの保守運転装置の実施例１乃至実施例４の構成を示す縦断面図である。また、図２は本発明に係るエレベータの保守運転装置の実施例１に使用する操作器の構成を示す正面図および側面図である。
【００２１】
なお、図１および図２において、従来技術の説明で行った図６および図７に記載の符号と同一の符号については同一のものを示す。
【００２２】
図１において、１６は実施例１に係る操作器を示し、１０はかご内の保守員等を示す。
【００２３】
少なくとも二人の保守員等によって、一方の保守員等がかご内、他方の保守員等がピットに分かれて作業を行う場合において、ピット内の保守員等１４が操作器１６をプラグ受１１に接続すると、エレベータシステムは保守運転モードになる。前記保守運転モードとは、以下に説明する操作を行わなければ、エレベータが駆動しない運転モードのことをいう。
【００２４】
ここで、操作器１６における１７は緊急時にエレベータを非常停止するための非常停止ボタン、１８はスローアップ確認ボタン、１９はスローダウン確認ボタン、２０はアップ確認ボタン、２１はダウン確認ボタンである。スローアップとは安全のためなどにより、通常運転における速度より、ゆっくりとエレベータを上昇させる運転であり、スローダウンとは安全のためなどにより、通常運転における速度より、ゆっくりとエレベータを下降させる運転である。また、アップおよびダウンは通常速度による上昇または下降運転である。
【００２５】
かご内の保守員等１０が、保守員等１４のトランシーバー等を使用した指示に基づき、かご内の運転操作盤Ｄ１に対して運転入力する。
【００２６】
上記運転入力がなされると、ピット内にある操作器１６の該当するボタンが点灯し、かつ、操作器１６に内蔵されたブザーが鳴動する。
【００２７】
上述したとおり、操作器１６に内蔵されたブザーが鳴動し、操作器１６上にある、スローアップ確認ボタン１８、スローダウン確認ボタン１９、アップ確認ボタン２０およびダウン確認ボタン２１のいずれかが点灯したのを、保守員等１４が確認し、意図していたエレベータの運転動作であれば、点灯しているボタンを押す。また、意図していない運転動作であれば、保守員等１０に対し、意図する運転を再入力するように指示する。万が一、意図していない運転操作にも関わらず、スローアップ確認ボタン１８等を押してしまった場合は、非常停止ボタン１７を押し、エレベータを非常停止させる。
【００２８】
実施例１によれば、ピット内の保守員等１４が、かご内の保守員等１０が操作した運転内容を確認し、許可しなければエレベータが駆動しないため、ピット内の保守員等の安全を確保することができ、安全に作業をすることができる。
【実施例２】
【００２９】
図１は本発明に係るエレベータの保守運転装置の実施例１乃至実施例４の構成を示す縦断面図である。また、図３は本発明に係るエレベータの保守運転装置の実施例２に使用する操作器の構成を示す正面図および側面図である。
【００３０】
なお、図３において、実施例１の説明で行った図２に記載の符号と同一の符号については同一のものを示す。以下実施例１と相違する点について説明する。
【００３１】
図１において、２３は実施例２に係る操作器を示す。
【００３２】
実施例１と同様に、ピット内の保守員等１４が操作器２３をプラグ受１１に接続すると、エレベータシステムは保守運転モードになる。
【００３３】
ここで、操作器２３における２２は運転操作内容表示部である。その他のボタン等は実施例１に係る操作器１６と同一である。
【００３４】
かご内の保守員等１０が、保守員等１４のトランシーバー等を使用した指示に基づき、かご内の運転操作盤Ｄ１に対して運転入力する。
【００３５】
上記運転入力がなされると、ピット内にある操作器２３の該当するボタンが点灯し、かつ、操作器２３に内蔵されたブザーが鳴動すると共に、運転操作内容表示部２２に保守員等１０が、かご内の運転操作盤Ｄ１に対して運転入力した内容が表示される。
【００３６】
上述したとおり、操作器２３に内蔵されたブザーが鳴動し、操作器２３上にある運転操作内容表示部２２の表示内容および、スローアップ確認ボタン１８、スローダウン確認ボタン１９、アップ確認ボタン２０およびダウン確認ボタン２１のいずれかが点灯したのを、保守員等１４が確認し、意図していたエレベータの運転動作であれば、点灯しているボタンを押す。また、意図していない運転動作であれば、保守員等１０に対し、意図する運転を再入力するように指示する。万が一、意図していない運転操作にも関わらず、スローアップ確認ボタン１８等を押してしまった場合は、非常停止ボタン１７を押し、エレベータを非常停止させる。
【００３７】
実施例２によれば、ピット内の保守員等１４が、かご内の保守員等１０が操作した運転内容を確認するに際し、運転操作内容表示部２２に表示された文字や図形等により運転操作内容が確認できるため、運転操作内容を誤認する可能性が低くなり、よりいっそうピット内の保守員等の安全を確保することができ、安全に作業をすることができる。
【実施例３】
【００３８】
図１は本発明に係るエレベータの保守運転装置の実施例１乃至実施例４の構成を示す縦断面図である。また、図４は本発明に係るエレベータの保守運転装置の実施例３に使用する操作器の構成を示す正面図および側面図である。
【００３９】
なお、図４において、実施例１および実施例２の説明で行った図２および図３に記載の符号と同一の符号については同一のものを示す。以下実施例２と相違する点について説明する。
【００４０】
図１において、２４は実施例３に係る操作器を示す。
【００４１】
実施例２と同様に、ピット内の保守員等１４が操作器２４をプラグ受１１に接続すると、エレベータシステムは保守運転モードになる。
【００４２】
ここで、操作器２４における２５はかご内の保守員等１０の運転入力を取り消すキャンセルボタンである。その他のボタン等は実施例２に係る操作器２３と同一である。
【００４３】
かご内の保守員等１０が、保守員等１４のトランシーバー等を使用した指示に基づき、かご内の運転操作盤Ｄ１に対して運転入力する。
【００４４】
上記運転入力がなされると、ピット内にある操作器２４の該当するボタンが点灯し、かつ、操作器２４に内蔵されたブザーが鳴動すると共に、運転操作内容表示部２２に保守員等１０が、かご内の運転操作盤Ｄ１に対して運転入力した内容が表示される。
【００４５】
上記点灯したボタンおよび運転操作内容表示部２２に表示された内容が、保守員等１４の意図した操作内容と異なる場合は、キャンセルボタン２５を押し、一旦、保守員等１０の運転入力を取り消した上で、保守員等１０に対し、意図する運転を再入力するように指示する。
【００４６】
保守員等１０は、キャンセルボタン２５によって、運転入力をキャンセルされた後は、再度運転入力を最初から行わなければならない。
【００４７】
なお、保守員等１４は意図していたエレベータの運転動作であれば、点灯しているボタンを押し、エレベータを駆動させる。
【００４８】
実施例３によれば、ピット内の保守員等１４が、かご内の保守員等１０が操作した運転入力を取り消せるため、ピット内の保守員等１４が誤って、許可を与える可能性が低くなり、よりいっそうピット内の保守員等の安全を確保することができ、安全に作業をすることができる。
【実施例４】
【００４９】
図１は本発明に係るエレベータの保守運転装置の実施例１乃至実施例４の構成を示す縦断面図である。また、図５は本発明に係るエレベータの保守運転装置の実施例４に使用する操作器の構成を示す概略図である。
【００５０】
なお、図５において、実施例１乃至実施例３の説明で行った図２、図３および図４に記載の符号と同一の符号については同一のものを示す。以下実施例３と相違する点について説明する。
【００５１】
図１において、３０は実施例４に係る操作器を示す。
【００５２】
実施例３と同様に、ピット内の保守員等１４が操作器３０をプラグ受１１に接続すると、エレベータシステムは保守運転モードになる。
【００５３】
図５における２６はかご内のインターホンと通話が可能なヘッドセットである。ヘッドセット２６はスピーカー２７、マイク２８およびプラグ２９等で構成される。また、図示しないが、操作器３０には、ヘッドセット２６のプラグ２９を接続するジャックが設けられている。その他のボタン等は実施例３に係る操作器２４と同一である。
【００５４】
かご内の保守員等１０が、保守員等１４のヘッドセットを使用した指示に基づき、かご内の運転操作盤Ｄ１に対して運転入力する。
【００５５】
上記運転入力がなされると、ピット内にある操作器３０の該当するボタンが点灯し、かつ、操作器３０に内蔵されたブザーが鳴動すると共に、運転操作内容表示部２２に保守員等１０が、かご内の運転操作盤Ｄ１に対して運転入力した内容が表示される。
【００５６】
上記点灯したボタンおよび運転操作内容表示部２２に表示された内容が、保守員等１４の意図した操作内容と異なる場合は、キャンセルボタン２５を押し、一旦、保守員等１０の運転入力をキャンセルした上で、保守員等１０に対し、意図する運転を再入力するように指示する。
【００５７】
なお、意図していたエレベータの運転動作であれば、点灯しているボタンを押し、エレベータを駆動させる。
【００５８】
実施例４によれば、ピット内の保守員等１４が、かご内の保守員等１０と容易に意思疎通が可能であり、また、トランシーバー等を持つ必要がなく、両手を自由に使うことができるため、よりいっそうピット内の保守員等の安全を確保することができ、安全に作業をすることができる。
【００５９】
実施例１乃至実施例４は、かご３内の保守員等１０が運転入力を行い、ピット内の保守員等１４が当該運転入力に対し許可を与える構成であるが、逆に、ピット内の保守員等１４が、前記操作器上の意図する運転のためのボタンを押し続けるなどによって許可を与える間のみ、かご３内の保守員等１０が運転入力を行うことが可能になるとしても、同様の効果を得ることができる。
【００６０】
実施例１乃至実施例４において、各操作器上にあるスローアップ確認ボタン１８、スローダウン確認ボタン１９、アップ確認ボタン２０およびダウン確認ボタン２１が点灯する場合について説明したが、点滅でも同様の効果を得ることができる。
【００６１】
実施例１乃至実施例４において、機械室有りのエレベータについて説明したが、昇降路内に各種機器が多い機械室無しのエレベータにおいては、よりいっそうの効果が得ることができる。
【００６２】
実施例１乃至実施例４において、かご３内の保守員等１０が運転操作盤Ｄ１について操作する場合を説明したが、かご上の保守員等（図示せず）が運転操作盤Ｄ２を操作する場合においても同様の効果が得ることができる。
【００６３】
実施例１乃至実施例４において、各操作器に携帯用ストラップやカラビナなどの係止具を設け、首やベルトに係止することも可能である。このように係止すれば、両手が自由に使え、よりいっそう安全に作業を行うことが可能である。
【００６４】
実施例３又は実施例４において、キャンセルボタンにより保守員等１０の運転入力が取り消された場合、保守員等１０に運転入力が取り消されたことを案内するために、かご３内のランプ又はボタンを点灯・点滅させ、若しくはかご３内のインジケータにその旨を表示し、若しくはその旨を音声で案内し、あるいはそれらの組み合わせを行っても良い。
【００６５】
実施例３又は実施例４においてキャンセルボタンを設けず、前記操作器上の点灯等したボタン以外の非常停止ボタン、スローアップ確認ボタン、スローダウン確認ボタン、アップ確認ボタンまたはダウン確認ボタンのいずれかを押すことで、保守員１０の運転入力を取り消すこととしても、同様の効果を得ることができる。
【符号の説明】
【００６６】
１                      昇降路
２                      機械室
３                      かご
４                      駆動機
５                      ロープ
６                      制御装置
７                      ピット
８                      乗場床
９                      乗場扉
１１                    プラグ受
１２                    伝送線
１３、１６、２３、      
２４、３０              操作器
１０、１４              保守員等
１５                    ケーブル
１７                    非常停止ボタン
１８                    スローアップ確認ボタン
１９                    スローダウン確認ボタン
２０                    アップ確認ボタン
２１                    ダウン確認ボタン
２２                    運転操作内容表示部
２５                    キャンセルボタン
２６                    ヘッドセット
２７                    スピーカー
２８                    マイク
２９、３１              プラグ
Ｄ１、Ｄ２              運転操作盤
【図１】
0005874442.tif 000002
【図２】
0005874442.tif 000003
【図３】
0005874442.tif 000004
【図４】
0005874442.tif 000005
【図５】
0005874442.tif 000006
【図６】
0005874442.tif 000007
【図７】
0005874442.tif 000008